(57)【要約】【課題】剥ぎ取る際に切れ易く巻き取る際に切れ難い構造を実現する。【解決手段】装飾用粘着テープ１は、芯ロール材２と、この芯ロール材２に巻き取られたテープ本体３であって、特殊形状にカット成形された複数の装飾シール１１が、ミシン目加工部１０を介して連続的に繋がってなるテープ本体３とを有する。【選択図】図１
2020200384.tif 000002
【特許請求の範囲】
【請求項１】
芯ロール材と、
この芯ロール材に巻き取られたテープ本体であって、特殊形状にカット成形された複数の装飾シールが、ミシン目加工部を介して連続的に繋がってなるテープ本体と
を有することを特徴とする装飾用粘着テープ。
【請求項２】
前記テープ本体は、
テープ基材と、
このテープ基材の一方の面に設けられた印刷層と、
前記テープ基材の他方の面に設けられた粘着層と、
前記粘着層の前記ミシン目加工部に設けられた易分離層と
を備える
ことを特徴とする請求項１記載の装飾用粘着テープ。
【請求項３】
前記テープ本体は、前記印刷層上に形成された剥離層を有する
ことを特徴とする請求項２記載の装飾用粘着テープ。
【請求項４】
前記印刷層は、印刷剤及び剥離剤を混合してなる混合層である
ことを特徴とする請求項２記載の装飾用粘着テープ。
【発明の詳細な説明】
【技術分野】
【０００１】
本発明は、装飾用粘着テープに関する。
【背景技術】
【０００２】
文字や数字、絵柄等を含む種々の情報が印刷される印刷面とは反対側の糊面を介して、ノートやボード或いは壁等の加飾体に貼着される装飾用粘着テープが知られている（例えば、特許文献１参照）。
【先行技術文献】
【特許文献】
【０００３】
【特許文献１】特開２０１５−１１３４２８号公報
【発明の概要】
【発明が解決しようとする課題】
【０００４】
このような装飾用粘着テープのうち、例えば絵柄の外形に沿ってカット成形された複数の装飾シールを、一部を重ねた状態でテープ状に形成し、芯ロール材に巻回したマスキングテープも知られている。このマスキングテープは、使用時に装飾シールを一枚ずつ剥ぎ取って加飾体にデコレーションとして貼着する。このようなマスキングテープは、使用時に装飾シールを剥ぎ取る際に複数の装飾シールが一度に剥ぎ取られてしまったり、芯ロール材に巻き取る際に意図せず切れて手間が掛かってしまったりすることが多々あった。
【０００５】
本発明は、上記事情に鑑みてなされたものであり、剥ぎ取る際に切れ易く巻き取る際に切れ難い構造を可能にした装飾用粘着テープを提供することを目的とする。
【課題を解決するための手段】
【０００６】
本発明に係る装飾用粘着テープは、芯ロール材と、この芯ロール材に巻き取られたテープ本体であって、特殊形状にカット成形された複数の装飾シールが、ミシン目加工部を介して連続的に繋がってなるテープ本体とを有することを特徴とする。
【０００７】
本発明の一実施形態において、前記テープ本体は、テープ基材と、このテープ基材の一方の面に設けられた印刷層と、前記テープ基材の他方の面に設けられた粘着層と、前記粘着層の前記ミシン目加工部に設けられた易分離層とを備える。
【０００８】
本発明の他の実施形態において、前記テープ本体は、前記印刷層上に形成された剥離層を有する。
【０００９】
本発明の更に他の実施形態において、前記印刷層は、印刷剤及び剥離剤を混合してなる混合層である。
【発明の効果】
【００１０】
本発明によれば、剥ぎ取る際に切れ易く巻き取る際に切れ難い構造を可能にする。
【図面の簡単な説明】
【００１１】
【図１】本発明の一実施形態に係る装飾用粘着テープの外観を示す説明図である。
【図２】同装飾用粘着テープの一部を示す上面図である。
【図３】同装飾用粘着テープの一部を示す裏面図である。
【図４】図２のＡ−Ａ´線断面図である。
【図５】同装飾用粘着テープの装飾シールを示す上面図である。
【発明を実施するための形態】
【００１２】
以下、添付の図面を参照して、本発明の実施形態に係る装飾用粘着テープを詳細に説明する。ただし、以下の実施形態は、各請求項に係る発明を限定するものではなく、また、実施形態の中で説明されている特徴の組み合わせの全てが発明の解決手段に必須であるとは限らない。
【００１３】
図１に示すように、本実施形態に係る装飾用粘着テープ１は、硬質の芯ロール材２に巻き取られたテープ本体３を有する。テープ本体３は、特殊形状にカット成形された複数の装飾シール１１を有する。ここで「特殊形状」とは、例えば短冊状や帯状、或いは矩形状等の単純形状を除く形状で、花柄形状等、曲線及び／又は直線を含む所定の絵柄の外形に沿った形状のことを言う。
【００１４】
図２及び図３に示すように、テープ本体３は、複数の装飾シール１１が、ミシン目加工部１０を介して連続的に繋がった構造を備える。テープ本体３は、図４に示すように、印刷面３ａを有すると共にこの印刷面３ａとは反対側に糊面３ｂを有するテープ基材１２を含む。テープ基材１２は、例えば寸法安定性を有する和紙やトレーシングペーパ等の紙材からなるが、これに限定されるものではなく、フィルム材等で形成されていても良い。
【００１５】
なお、テープ基材１２を和紙で構成することによって、装飾シール１１における印刷面３ａに和紙の風合いを持たせることが可能である。また、これと併せてフィルムに比べて使用時に容易に伸縮しないことから、装飾シール１１の形状を変形させ難いという特性を備える。
【００１６】
和紙としては、例えば天然又は合成繊維を主成分とするものを使用可能で、顔料等での着色又は無着色の如何は問わず、更に強度の向上や印刷剤の定着性向上、或いは過度な含浸防止等のために、含浸剤を含有させたりコーティング剤をコートしたりしたものであっても良い。なお、テープ基材１２は、和紙に限らず、和紙以外の紙材や布材、不織布、プラスチックのフィルム材等であっても良い。
【００１７】
テープ本体３は、テープ基材１２の印刷面３ａ上に形成されたインキ等の印刷剤からなる印刷層４を有する。また、テープ本体３は、この印刷層４上に形成された剥離剤からなる剥離層５を有する。更に、テープ本体３は、テープ基材１２の糊面３ｂ上に形成された粘着剤からなる粘着層６を有する。
【００１８】
印刷層４は、図示した花柄模様のみならず、図形柄、キャラクター柄、ロゴマーク、動物柄、文字列、記号、数字等の各種の柄模様を表示する。印刷層４は、テープ基材１２の印刷面３ａ上に、例えばグラビア印刷、オフセット印刷、スクリーン印刷等の印刷方法により形成される。剥離層５は、例えばシリコーン系樹脂やフッ素系樹脂、或いはＰＥ（ポリエチレン）やＰＰ（ポリプロピレン）等の合成樹脂からなる。粘着層６は、例えばアクリル系粘着剤、シリコーン系粘着剤、又はゴム系粘着剤からなる。
【００１９】
なお、図示は省略するが、テープ本体３は、上記印刷層４及び剥離層５に代えて、テープ基材１２の印刷面３ａ上に形成された印刷剤及び剥離剤を混合してなる混合層を有する構成であっても良い。テープ基材１２に混合層を形成した場合は、粘着層６の粘着性能や成分比率等を混合層に最適なものに変更すれば良い。
【００２０】
また、テープ本体３は、図３及び図４に示すように、複数の装飾シール１１の外形形状に沿った糊面３ｂ上の粘着層６のうち、少なくともミシン目加工部１０を挟んだ粘着層６上に形成された、シリコン等の材料からなる易分離層７を有する。この易分離層７は、図示のように、装飾シール１１の外形形状に沿った全周に形成されていても良い。
【００２１】
ミシン目加工部１０は、剥ぎ取る際に切れ易く巻き取る際に切れ難い長さのミシン目８を有する。このミシン目加工部１０の長さは、例えば２ｍｍよりも長く、最大で装飾シール１１の最大幅より長くても良いが、好ましくは最大幅の８０％以下となるように設定されている。ミシン目加工部１０は、例えばマイクロミシンにより加工され、ミシン目８の孔と孔の間隔、及び／又は孔の幅がそれぞれ均等或いは不均等となるように形成される。不均等である場合は、具体的には、このミシン目加工部１０におけるミシン目８の孔と孔の間隔は、例えば０．２ｍｍ〜０．５ｍｍの範囲で不等間隔となるように調整され得る。また、均等である場合は、一例として、ミシン目８の孔と孔の間隔は、例えば０．２ｍｍで等間隔となる。
【００２２】
このように構成された装飾用粘着テープ１は、テープ本体３の複数の装飾シール１１が、それぞれにおける少なくとも一部が互いにミシン目加工部１０を介して連続的に繋がっていると共に、少なくともミシン目加工部１０を挟んだ粘着層６上に易分離層７が形成されている。このため、図５に示すように、装飾シール１１を一つずつ剥ぎ取る時に、その形状を壊さず且つミシン目加工部１０の跡もほぼ分からなくした状態で、容易に切り取ることが可能となる。
【００２３】
また、ミシン目加工部１０を介して複数の装飾シール１１が切れ難い状態で連続的に繋がっているため、芯ロール材２にテープ本体３を巻き取る際に従来のテープ材と同様に巻き取ることが可能となり、生産性を向上させることができる。従って、本実施形態の装飾用粘着テープ１によれば、剥ぎ取る際に切れ易く巻き取る際に切れ難い構造を実現することが可能となる。
【００２４】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２５】
１          装飾用粘着テープ
２          芯ロール材
３          テープ本体
３ａ        印刷面
３ｂ        糊面
４          印刷層
５          剥離層
６          粘着層
７          易分離層
８          ミシン目
１０        ミシン目加工部
１１        装飾シール
１２        テープ基材
【図１】
2020200384.tif 000003
【図２】
2020200384.tif 000004
【図３】
2020200384.tif 000005
【図４】
2020200384.tif 000006
【図５】
2020200384.tif 000007